【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
カードに関する情報を処理するカード情報処理装置と、上記カードに関する情報を入力する利用者の情報端末装置を、ネットワークを介して通信可能に接続して構成されたカード情報入力システムを用いて行われるカード情報入力方法であって、
上記カードのイメージデータを取得するイメージデータ取得ステップと、
上記イメージデータ取得ステップにて取得した上記イメージデータから、上記カードに印刷されている項目の位置に関する位置情報を認識する位置情報認識ステップと、
上記イメージデータ、および、上記位置情報に基づいて上記利用者が所持するカードに印刷された上記利用者の個人情報を入力するための入力画面用データを生成する入力画面生成ステップと、
を含むことを特徴とするカード情報入力方法。
【請求項２】
カードに関する情報を処理するカード情報処理装置と、上記カードに関する情報を入力する利用者の情報端末装置を、ネットワークを介して通信可能に接続して構成されたカード情報入力システムを用いて行われるカード情報入力方法を、カード情報処理装置として動作するコンピュータに実行させるためのプログラムであって、
上記カードのイメージデータを取得するイメージデータ取得ステップ、
上記イメージデータ取得ステップにて取得した上記イメージデータから、上記カードに印刷されている項目の位置に関する位置情報を認識する位置情報認識ステップ、
上記イメージデータ、および、上記位置情報に基づいて上記利用者が所持するカードに印刷された上記利用者の個人情報を入力するための入力画面用データを生成する入力画面生成ステップ、
上記入力画面生成ステップにより生成された上記入力画面用データを上記情報端末装置に対して送信する送信ステップ、
をカード情報処理装置として動作するコンピュータに実行させるためのプログラム。
【請求項３】
カードに関する情報を処理するカード情報処理装置と、上記カードに関する情報を入力する利用者の情報端末装置を、ネットワークを介して通信可能に接続して構成されたカード情報入力システムを用いて行われるカード情報入力方法を、情報端末装置として動作するコンピュータに実行させるためのプログラムであって、
上記カード情報処理装置から、上記カードのイメージデータ、および、上記カードに印刷されている項目の位置に関する位置情報に基づいて生成された、上記利用者が所持するカードに印刷された上記利用者の個人情報を入力するための入力画面用データを受信する入力画面受信ステップ、
上記入力画面受信ステップにより受信した上記入力画面用データを出力する出力ステップ、
を情報端末装置として動作するコンピュータに実行させるためのプログラム。
【請求項４】
カードに関する情報を処理するカード情報処理装置と、上記カードに関する情報を入力する利用者の情報端末装置を、ネットワークを介して通信可能に接続して構成されたカード情報入力システムの情報端末装置を用いて行われるカード情報入力方法であって、
上記カード情報処理装置から、上記カードのイメージデータ、および、上記カードに印刷されている項目の位置に関する位置情報に基づいて生成された、上記利用者が所持するカードに印刷された上記利用者の個人情報を入力するための入力画面用データを受信する入力画面受信ステップと、
上記入力画面受信ステップにより受信した上記入力画面用データを出力する出力ステップと、
を含むことを特徴とするカード情報入力方法。
【請求項５】
カードに関する情報を処理するカード情報処理装置と、上記カードに関する情報を入力する利用者の情報端末装置を、ネットワークを介して通信可能に接続して構成されたカード情報入力システムのカード情報処理装置であって、
上記カードのイメージデータを取得するイメージデータ取得手段と、
上記イメージデータ取得手段にて取得した上記イメージデータから、上記カードに印刷されている項目の位置に関する位置情報を認識する位置情報認識手段と、
上記イメージデータ、および、上記位置情報に基づいて上記利用者が所持するカードに印刷された上記利用者の個人情報を入力するための入力画面用データを生成する入力画面生成手段と、
上記入力画面生成手段により生成された上記入力画面用データを上記情報端末装置に対して送信する送信手段と、
を備えたことを特徴とするカード情報処理装置。
【手続補正２】
【補正対象書類名】明細書
【補正対象項目名】００１１
【補正方法】変更
【補正の内容】
【００１１】
【課題を解決するための手段】
このような目的を達成するため、請求項１に記載のカード情報入力方法は、カードに関する情報を処理するカード情報処理装置（実施の形態におけるサーバ装置１００）と、上記カードに関する情報を入力する利用者の情報端末装置（実施の形態におけるクライアント装置２００）を、ネットワーク（実施の形態におけるネットワーク３００）を介して通信可能に接続して構成されたカード情報入力システムを用いて行われるカード情報入力方法であって、上記カードのイメージデータを取得するイメージデータ取得ステップと、上記イメージデータ取得ステップにて取得した上記イメージデータから、上記カードに印刷されている項目の位置に関する位置情報を認識する位置情報認識ステップと、上記イメージデータ、および、上記位置情報に基づいて上記利用者が所持するカードに印刷された上記利用者の個人情報を入力するための入力画面用データを生成する入力画面生成ステップとを含むことを特徴とする。
【手続補正３】
【補正対象書類名】明細書
【補正対象項目名】００１３
【補正方法】変更
【補正の内容】
【００１３】
また、本発明は、カード情報入力方法をカード情報処理装置として動作するコンピュータに実行させるためのプログラムに関するものであり、請求項２に記載のプログラムは、カードに関する情報を処理するカード情報処理装置と、上記カードに関する情報を入力する利用者の情報端末装置を、ネットワークを介して通信可能に接続して構成されたカード情報入力システムを用いて行われるカード情報入力方法を、カード情報処理装置として動作するコンピュータに実行させるためのプログラムであって、上記カードのイメージデータを取得するイメージデータ取得ステップ、上記イメージデータ取得ステップにて取得した上記イメージデータから、上記カードに印刷されている項目の位置に関する位置情報を認識する位置情報認識ステップ、上記イメージデータ、および、上記位置情報に基づいて上記利用者が所持するカードに印刷された上記利用者の個人情報を入力するための入力画面用データを生成する入力画面生成ステップ、上記入力画面生成ステップにより生成された上記入力画面用データを上記情報端末装置に対して送信する送信ステップ、をカード情報処理装置として動作するコンピュータに実行させるためのプログラムであることを特徴とする。
【手続補正４】
【補正対象書類名】明細書
【補正対象項目名】００１５
【補正方法】変更
【補正の内容】
【００１５】
また、本発明は、カード情報入力方法を情報端末装置として動作するコンピュータに実行させるためのプログラムに関するものであり、請求項３に記載のプログラムは、カードに関する情報を処理するカード情報処理装置と、上記カードに関する情報を入力する利用者の情報端末装置を、ネットワークを介して通信可能に接続して構成されたカード情報入力システムを用いて行われるカード情報入力方法を、情報端末装置として動作するコンピュータに実行させるためのプログラムであって、上記カード情報処理装置から、上記カードのイメージデータ、および、上記カードに印刷されている項目の位置に関する位置情報に基づいて生成された、上記利用者が所持するカードに印刷された上記利用者の個人情報を入力するための入力画面用データを受信する入力画面受信ステップ、上記入力画面受信ステップにより受信した上記入力画面用データを出力する出力ステップ、を情報端末装置として動作するコンピュータに実行させるためのプログラムであることを特徴とする。